(57)【要約】【課題】ＦＴ−ＩＲを用いて、排ガス中の各ＰＦＣ成分をより簡便でかつ再現性良く測定する方法を提供する。【解決手段】本発明の赤外吸収分光器を用いた温室効果ガス測定方法は、プロセス化学物質を選択する手順と、前記プロセス化学物質に対応する定量ターゲット化学物質を選択する手順と、前記プロセス化学物質および前記定量ターゲット化学物質の予想濃度範囲を指定する手順と、前記プロセス化学物質および前記定量ターゲット化学物質の予想濃度範囲に対応するライブラリをそれぞれ選択する手順と、前記ライブラリに基づいて、ガスの赤外吸収分光測定により得られたデータの解析を行なう手順と、を含む。【選択図】図２
2008197120.tif 000002
【特許請求の範囲】
【請求項１】
ガスに対する赤外吸収分光測定により得られたデータの解析を行なう際に、
ガス中の各成分について、主ピーク領域および副ピーク領域にそれぞれに関して、濃度に対する吸光面積を示す検量線を作成し、
前記ガス中の各成分の濃度が、主ピーク領域に関する検量線のリニアリティが小さい領域に含まれると想定される場合、副ピーク領域に関する検量線を用いて前記濃度を決定する、赤外吸収分光器を用いた温室効果ガス測定方法。
【請求項２】
ガスに対する赤外吸収分光測定により得られたデータの解析を行なう際に、
ガス中の各成分について、主ピーク領域および副ピーク領域にそれぞれに関して、濃度に対する吸光面積を示す検量線を作成し、
前記ガス中の各成分の濃度が、副ピーク領域に関する検量線のリニアリティが小さい領域に含まれると想定される場合、主ピーク領域に関する検量線を用いて前記濃度を決定する、赤外吸収分光器を用いた温室効果ガス測定方法。
【請求項３】
請求項１または２において、
主ピーク領域に関する検量線および副ピーク領域に関する検量線の両方を用いて前記濃度を決定する、赤外吸収分光器を用いた温室効果ガス測定方法。
【請求項４】
請求項１〜３のいずれかにおいて、
前記検量線中でリニアリティが低い部分について、該部分の近傍に検量ポイントを増やす補正を該検量線について行なう、赤外吸収分光器を用いた温室効果ガス測定方法。
【請求項５】
請求項１〜３のいずれかにおいて、
前記検量線中でリニアリティが高い部分の検量線については、リニアリティが高い部分の１個又は２個の検量ポイントを用いて前記検量線を作成する、温室効果ガス測定方法。
【請求項６】
請求項１〜５のいずれかにおいて
前記ガスに対する赤外吸収分光測定を行なう際に、該ガス中の１成分以上を校正ガスとする、赤外吸収分光器を用いた温室効果ガス測定方法。
【請求項７】
請求項６において、
前記校正ガスの濃度を、濃度の対数値でみて等間隔となるように複数の値設定する、赤外吸収分光器を用いた温室効果ガス測定方法。
【請求項８】
請求項６または７において、
前記校正ガスとしてＣＦ４またはＳＦ６を選択する場合、
前記校正ガスについて、主ピーク領域に関して濃度に対する吸光面積を示す検量線を作成し、
前記主ピーク領域に関する検量線のうちリニアリティに優れた部分にて校正を行なう、赤外吸収分光器を用いた温室効果ガス測定方法。
【請求項９】
請求項１〜８のいずれかにおいて、
前記ガスは、ＣＦ４、ＣＨＦ３、Ｃ２Ｆ４、Ｃ２Ｆ６、Ｃ３Ｆ８、Ｃ４Ｆ８、Ｃ５Ｆ８、ＣＯＦ２、ＨＦ、ＳｉＦ４、ＯＦ２、ＮＦ３、ＳＯ２、ＳＦ６、ＳＯ２Ｆ２、ＳＯＦ２、ＮＯ、Ｎ２Ｏ、ＮＯ２、ＣＯ、およびＣＯ２のうち少なくとも１つを含む、赤外吸収分光器を用いた温室効果ガス測定方法。
【発明の詳細な説明】
【技術分野】
【０００１】
本発明は、赤外吸収分光器を用いた温室効果ガス測定方法に関する。特に、フーリエ変換赤外分光器（ＦＴ−ＩＲ）を用いて温室効果ガスを測定する方法に関する。
【背景技術】
【０００２】
近年、環境問題への関心が高まる中、地球温暖化の問題が注目されるようになってきている。地球温暖化は、ＣＯ２、ＮＯｘ、メタン、ＰＦＣ( perfluoro carbon)等の温室効果ガス( greenhouse gas)の大気中の濃度増加に伴って進行する。これらの温室効果ガスは赤外線領域に強い吸収をもち、大気中に放出されると、地表から放射されるエネルギーを吸収する。この吸収されたエネルギーは上空の宇宙空間と下層の地表に向かって放出される。この場合、地表から放出されたエネルギーの一部が温室効果ガスによって再び地表に戻されるため、地表の温度が上昇する。このような機構により、温室効果ガスは地球温暖化効果をもたらすと考えられている。
【０００３】
温室効果ガスによる温暖化の影響の程度を比較する指標として、地球温暖化係数（global warming potential;ＧＷＰ）がある。このＧＷＰは、ＣＯ２１単位重量に比べてそれぞれのガス１単位重量がどれだけの温暖化効果を持つかを表したものである。温室効果ガスの中でも温暖化効果が高いガスとしてＰＦＣが挙げられる。ＰＦＣはＧＷＰ値がきわめて高く、たとえばＣＦ４のＧＷＰ値はＣＯ２の約６５００倍である。また、ＰＦＣは他のガスと比較して安定であり、大気中の寿命が非常に長く、たとえばＣＦ４では大気寿命が約５０，０００年である。したがって、ＰＦＣは一度大気中に放出されると長年にわたって地球を暖めることになる。
【０００４】
このＰＦＣは、半導体デバイスの製造工程において通常用いられるものであり、特に低圧プラズマを利用した装置で多く用いられている。例えばドライエッチング装置では、ＳｉＯ２やＳｉ３Ｎ４のエッチングにＣＦ４、Ｃ４Ｆ８等のＰＦＣが使用されている。また、ＣＶＤ装置では、装置に付着したシリコン化合物等の膜をクリーニングするために、Ｃ２Ｆ６等のガスプラズマが多く用いられる。さらに、ウエハを冷却する溶媒として液体ＰＦＣが用いられている。しかしながら、前述したように、ＰＦＣは高い温暖化効果を有するため、ＰＦＣの排出量の削減が国際的に求められている。１９９７年１２月に行なわれたＣＯＰ３京都会議では、日本におけるＰＦＣ等の排出を、１９９５年を基準として２０１０年までに６％削減することで合意がなされた。その後、１９９９年のＷＳＣ（世界半導体会議）のＥＳＨ（環境・安全・健康）タスクフォースでは、１９９５年の総排出量を基準として２０１０年までに１０％の削減を達成しようという案が合意された。
【０００５】
ここで、ＰＦＣの排出量の削減を実証するためには、工場から排出されるＰＦＣガスを測定する必要がある。現状では、工場から排出されるＰＦＣガスを実際に測定することは難しいため、ＰＦＣを使用する半導体製造装置から排出されるＰＦＣガスを測定して、投入ガスあたりの排出ガス量の比（エミッションファクター）と、工場で消費するガス量とから、ＰＦＣの排出量を規定することとなっている。エミッションファクターは、半導体製造装置から実際に排出されるＰＦＣガスを測定して算出されるものである。半導体製造装置から実際に排出されるＰＦＣガスの測定は、１９９８年４月にアメリカ合衆国カリフォルニア州のモントレーにて開催されたGlobal Semiconductor Industry Conference on Perfluorocompound Emissions Controlにおいて配布された、Intel社のJ.Mayersらによる「Emissions Characterization Package Rev.２.４（通称「インテルプロトコル」）」というガイドライン（現在は、「Equipment Environmental Characterization Guidelines Rev.３.0」）に従って行なわれている。このインテルプロトコルでは、四重極質量分析装置（ＱＭＡＳ）とフーリエ変換赤外分光器（ＦＴ−ＩＲ）等を用いて、排出されるＰＦＣガスを測定する方法が記載されている。しかしながら、ＦＴ−ＩＲを用いた測定については、詳細な記載がないため、測定の方法によって結果が大きくばらつく場合がある。したがって、このインテルプロトコルを補完するために、より簡便な方法で排ガス中のＰＦＣを再現性良く測定できる方法の開発が求められていた。
【特許文献１】特開平４−２６２２３７号公報
【特許文献２】特開平４−２６２２３６号公報
【特許文献３】特開平４−２６２２３８号公報
【特許文献４】特開平０４−１９１６５４号公報
【発明の開示】
【発明が解決しようとする課題】
【０００６】
本発明の目的は、赤外吸収分光器を用いて、排ガス中の各成分をより簡便でかつ再現性良く測定する方法を提供することにある。
【課題を解決するための手段】
【０００７】
（Ａ）本発明の赤外吸収分光器を用いた温室効果ガス測定方法は、
プロセス化学物質を選択する手順と、
前記プロセス化学物質に対応する定量ターゲット化学物質を選択する手順と、
前記プロセス化学物質および前記定量ターゲット化学物質の予想濃度範囲を指定する手順と、
前記プロセス化学物質および前記定量ターゲット化学物質の予想濃度範囲に対応するライブラリをそれぞれ選択する手順と、
前記ライブラリに基づいて、ガスの赤外吸収分光測定により得られたデータの解析を行なう手順と、を含む。
【０００８】
ここで、プロセス化学物質とは、プロセスで使用される化学物質をいう。また、定量ターゲット化学物質とは、ガス中に前記プロセス化学物質が含まれていることにより、ガス中に含まれている可能性がある化学物質をいう。
【０００９】
また、ライブラリとは、前記化学物質の赤外吸収分光測定により得られたデータの解析を行なう際に、正確な濃度測定を行なうために、前記化学物質の既知の濃度に対応してあらかじめ測定された吸光度データをいう。
【００１０】
本発明の温室効果ガス測定方法によれば、混合ガス中の各成分の濃度を、より簡便な方法でかつ精度良く測定することができる。
【００１１】
本発明の温室効果ガス測定方法としては、以下の（１）〜（３）に示す態様が例示できる。
【００１２】
（１）前記ガス中の各化学物質毎に、複数の既知濃度における吸光度データからなるライブラリを作成し、
このライブラリに基づいて、前記ガス中の各化学物質毎に、主ピーク領域および副ピーク領域に関する濃度−吸光面積についての検量線データを作成し、
そして、前記検量線データに基づいて、前記ガスの赤外吸収分光測定により得られたデータの解析を行なう手順において、
前記ガス中の各成分の予想濃度範囲が、前記主ピーク領域に関する検量線データのリニアリティが小さい領域に含まれる場合、前記副ピーク領域に関する検量線データを用いて前記濃度を決定することができる。
【００１３】
ここで、主ピーク領域とは、ガスの赤外吸収波形中、最も高いピークを含む領域をいう。また、副ピーク領域とは、ガスの赤外吸収波形中、主ピーク領域とは異なる領域に位置するピークを含む領域をいい、成分によっては２以上存在する。
【００１４】
また、検量線データとは、ガス中の各成分の濃度と吸光面積との関係を示すデータであり、赤外線吸収測定の際には、前記予想濃度範囲に対応してライブラリが選択され、選択されたライブラリに対応する検量線データに基づいてデータ解析が行なわれる。
【００１５】
また、前記主ピーク領域に関する検量線データのリニアリティが小さい領域とは、前記主ピーク領域に関する検量線データにおいて、濃度と吸光面積との関係が、前記副ピーク領域に関する検量線データと比較して、リニアリティが小さい領域をいう。この方法によれば、前記副ピーク領域に関する検量線データを用いて前記濃度を決定することにより、ガス中の各成分の濃度を精度良く測定することができる。
【００１６】
あるいは、前記ガス中の各成分の予想濃度範囲が、前記副ピーク領域に関する検量線データのリニアリティが小さい領域に含まれる場合、前記主ピーク領域に関する検量線データを用いて前記濃度を決定することができる。ここで、前記副ピーク領域に関する検量線データのリニアリティが小さい領域とは、前記副ピーク領域に関する検量線データにおいて、濃度と吸光面積との関係が、前記主ピーク領域に関する検量線データと比較して、リニアリティが小さい領域をいう。
【００１７】
この方法によれば、前記主ピーク領域に関する検量線データを用いて前記濃度を決定することにより、ガス中の各成分の濃度を精度良く測定することができる。
【００１８】
また、この場合、前記主ピーク領域に関する検量線データ、および前記副ピーク領域に関する検量線データの両方を用いて前記濃度を決定することもできる。
【００１９】
（２）前記プロセス化学物質は、ＣＦ４、ＣＨＦ３、Ｃ２Ｆ４、Ｃ２Ｆ６、Ｃ３Ｆ８、Ｃ４Ｆ８、Ｃ５Ｆ８、ＨＦ、ＳｉＦ４、ＮＦ３、ＳＦ６、およびＮ２Ｏのうち少なくとも１つを含むことができる。
【００２０】
（３）前記定量ターゲット化学物質は、ＣＦ４、ＣＨＦ３、Ｃ２Ｆ４、Ｃ２Ｆ６、Ｃ３Ｆ８、Ｃ４Ｆ８、Ｃ５Ｆ８、ＣＯＦ２、ＨＦ、ＳｉＦ４、ＯＦ２、ＮＦ３、ＳＯ２、ＳＦ６、ＳＯ２Ｆ２、ＳＯＦ２、ＮＯ、Ｎ２Ｏ、ＮＯ２、ＣＯ、およびＣＯ２のうち少なくとも１つを含むことができる。
【００２１】
（Ｂ）本発明の赤外吸収分光器を用いた温室効果ガス測定方法は、
ガスに対する赤外吸収分光測定により得られたデータの解析を行なう際に、
ガス中の各成分について、主ピーク領域および副ピーク領域にそれぞれに関して、濃度に対する吸光面積を示す検量線を作成し、
前記ガス中の各成分の濃度が、主ピーク領域に関する検量線のリニアリティが小さい領域に含まれると想定される場合、副ピーク領域に関する検量線を用いて前記濃度を決定する方法である。この方法によれば、前述した効果を奏することができる。
【００２２】
（Ｃ）本発明の赤外吸収分光器を用いた温室効果ガス測定方法は、
ガスに対する赤外吸収分光測定により得られたデータの解析を行なう際に、
ガス中の各成分について、主ピーク領域および副ピーク領域にそれぞれに関して、濃度に対する吸光面積を示す検量線を作成し、
前記ガス中の各成分の濃度が、副ピーク領域に関する検量線のリニアリティが小さい領域に含まれると想定される場合、主ピーク領域に関する検量線を用いて前記濃度を決定する方法である。この方法によれば、前述した効果を奏することができる。
【００２３】
（Ｂ）または（Ｃ）の方法のいずれにおいても、主ピーク領域に関する検量線および副ピーク領域に関する検量線の両方を用いて前記濃度を決定することができる。
【００２４】
また、前記検量線中でリニアリティが低い部分について、該部分の近傍に検量ポイントを増やす補正を該検量線について行なうことができる。
【００２５】
ここで、検量ポイントとは、ガス中の各成分について、所定の濃度に対する吸光面積の値を示すデータをいう。また、前記検量線中でリニアリティが低い部分とは、ガス中の各成分について、濃度と吸光面積との間に成立する一定の関係を示す式からずれている部分のことをいう。このように補正を行なうことにより、前記検量線のリニアリティを高めることができる。その結果、補正後の検量線に関するデータ（検量線データ）に基づいてデータの解析を行なうことにより、前記ガスに含まれる成分の濃度を正確に算出することができる。
【００２６】
また、前記検量線中でリニアリティが高い部分の検量線については、リニアリティが高い部分の１個又は２個の検量ポイントを用いて前記検量線を作成することができる。この方法によれば、少ない検量ポイントでも精度の高い検量線を作成することができる。
【００２７】
（Ｄ）本発明の赤外吸収分光器を用いた温室効果ガス測定方法は、
ガスに対する赤外吸収分光測定により得られた吸収波形に基づいてデータの解析を行なう際に、
前記ガス中の成分のうち、他の成分のピークと重複しないピークを有する成分から優先的に定量し、該成分のピークを前記吸収波形から順次差し引く手順を含む。
【００２８】
この方法によれば、各成分についてピークが一致または重複する場合であっても、各成分の濃度を精度良く測定することができる。
【００２９】
この場合、以下の手順（ａ）〜（ｊ）を含むことができる。
【００３０】
（ａ）前記ガスの吸収波形からＮＯおよびＳＯ２Ｆ２のピークをそれぞれ差し引いて、ＮＯおよびＳＯ２Ｆ２を定量する手順、
（ｂ）前記手順（ａ）により得られた吸収波形からＣＯＦ２のピークを差し引いて、ＣＯＦ２を定量する手順、
（ｃ）前記手順（ｂ）により得られた吸収波形からＳＯＦ２のピークを差し引いて、ＳＯＦ２を定量する手順、
（ｄ）前記手順（ｃ）により得られた吸収波形からＯＦ２のピークを差し引いて、ＯＦ２を定量する手順、
（ｅ）前記手順（ｄ）により得られた吸収波形からＳＦ６、ＮＦ３、およびＣ４Ｆ８のピークをそれぞれ差し引いて、ＳＦ６、ＮＦ３、およびＣ４Ｆ８を定量する手順、
（ｆ）前記手順（ｅ）により得られた吸収波形からＣ３Ｆ８およびＳｉＦ４のピークをそれぞれ差し引いて、Ｃ３Ｆ８およびＳｉＦ４を定量する手順、
（ｇ）前記手順（ｆ）により得られた吸収波形からＮ２Ｏ、Ｃ２Ｆ６、およびＣ２Ｆ４のピークをそれぞれ差し引いて、Ｎ２Ｏ、Ｃ２Ｆ６、およびＣ２Ｆ４を定量する手順、
（ｈ）前記手順（ｇ）により得られた吸収波形からＣＦ４、ＳＯ２、およびＣＯのピークをそれぞれ差し引いて、ＣＦ４、ＳＯ２、およびＣＯを定量する手順、
（ｉ）前記手順（ａ）〜（ｈ）より得られた前記ガスの吸収波形からＣＨＦ３を定量する手順、および
（ｊ）前記ガスの吸収波形，および前記手順（ａ）〜（ｉ）より得られた前記ガスの吸収波形のうちのいずれかから、ＨＦ、ＣＯ２、およびＮＯ２のピークを差し引く手順。
【００３１】
さらに、この場合、前記手順（ａ）〜（ｊ）に加えて、以下の特徴（１）〜（８）のうち１または２以上を有することができる。
【００３２】
（１）ＨＦ、ＣＯ２、およびＮＯ２については、前記手順（ｊ）で定量するかわりに、前記手順（ａ）〜前記手順（ｉ）のいずれかの手順で定量するか、あるいは前記手順（ａ）〜前記手順（ｉ）と異なるが前記手順（ｊ）より前に行なう手順で定量すること。
【００３３】
（２）ＳＦ６については、前記手順（ｅ）で定量するかわりに、前記手順（ｆ）〜前記手順（ｊ）のいずれかの手順で定量するか、あるいは前記手順（ｆ）〜前記手順（ｊ）と異なるが前記手順（ｅ）より後に行なう手順で定量すること。
【００３４】
（３）ＣＦ４については、前記手順（ｈ）で定量するかわりに、前記手順（ｉ）または前記手順（ｊ）で定量するか、あるいは前記手順（ｉ）および前記手順（ｊ）と異なるが前記手順（ｈ）より後に行なう手順で定量すること。
【００３５】
（４）ＳｉＦ４については、前記手順（ｆ）で定量するかわりに、前記手順（ｇ）〜前記手順（ｊ）のいずれかの手順で定量するか、あるいは前記手順（ｇ）〜前記手順（ｊ）と異なるが前記手順（ｆ）より後に行なう手順で定量すること。
【００３６】
（５）ＣＯについては、前記手順（ｈ）で定量するかわりに、前記手順（ｉ）または前記手順（ｊ）で定量するか、あるいは前記手順（ｉ）および前記手順（ｊ）と異なるが前記手順（ｈ）より後に行なう手順で定量すること。
【００３７】
（６）Ｃ２Ｆ６については、前記手順（ｇ）で定量するかわりに、前記手順（ｈ）〜前記手順（ｊ）のいずれかの手順で定量するか、あるいは前記手順（ｈ）〜前記手順（ｊ）と異なるが前記手順（ｇ）より後に行なう手順で定量すること。
【００３８】
（７）Ｃ２Ｆ４については、前記手順（ｇ）で定量するかわりに、前記手順（ｈ）〜前記手順（ｊ）のいずれかの手順で定量するか、あるいは前記手順（ｈ）〜前記手順（ｊ）と異なるが前記手順（ｇ）より後に行なう手順で定量すること。
【００３９】
（８）Ｃ４Ｆ８については、前記手順（ｅ）で定量するかわりに、前記手順（ｆ）で定量するか、あるいは前記手順（ｆ）と異なるが前記手順（ｄ）より後で前記手順（ｇ）より前に行なう手順で定量すること。
【００４０】
（Ｅ）本発明の赤外吸収分光器を用いた温室効果ガス測定方法は、
ガスに対する赤外吸収分光測定を行なう際に、ガス中の１成分以上を校正ガスとすることができる。
【００４１】
この方法において、校正に用いる校正ガスの濃度を、濃度の対数値でみて等間隔となるように複数の値設定する。この方法によれば、検量ポイントが対数で見て等間隔に配置できるので、少ない検量ポイントで精度の高い検量線を作成することができる。
【００４２】
また、この方法において、前記校正ガスとしてＣＦ４またはＳＦ６を選択する場合、
前記校正ガスについて、主ピーク領域に関して濃度に対する吸光面積を示す検量線を作成し、
前記主ピーク領域に関する検量線のうちリニアリティに優れた部分にて校正を行なうことができる。この方法によれば、精度の高い校正を行なうことができる。
【００４３】
本発明において、赤外吸収分光器を用いた測定の対象となるガスは、ＣＦ４、ＣＨＦ３、Ｃ２Ｆ４、Ｃ２Ｆ６、Ｃ３Ｆ８、Ｃ４Ｆ８、Ｃ５Ｆ８、ＣＯＦ２、ＨＦ、ＳｉＦ４、ＯＦ２、ＮＦ３、ＳＯ２、ＳＦ６、ＳＯ２Ｆ２、ＳＯＦ２、ＮＯ、Ｎ２Ｏ、ＮＯ２、ＣＯ、およびＣＯ２のうち少なくとも１つを含むことができる。
【発明を実施するための最良の形態】
【００４４】
以下、本発明の好適な実施の形態について、図面を参照しながら説明する。
【００４５】
（測定システムの概要）
本実施の形態においては、Ｃ４Ｆ８を用いるドライエッチング装置から排出されるガスの成分を、ＦＴ−ＩＲにて測定する方法を例に取り説明する。図１は、本実施の形態で用いるガス測定システムを模式的に示す図である。
【００４６】
用いるガスがＰＦＣの場合、排ガス中には、ＣＦ４、ＣＨＦ３、Ｃ２Ｆ４、Ｃ２Ｆ６、Ｃ３Ｆ８、Ｃ４Ｆ８、Ｃ５Ｆ８、ＣＯＦ２、ＨＦ、ＳｉＦ４、ＯＦ２、ＮＦ３、ＳＯ２、ＳＦ６、ＳＯ２Ｆ２、ＳＯＦ２、ＮＯ、Ｎ２Ｏ、ＮＯ２、ＣＯ、およびＣＯ２等が含まれている可能性がある。
【００４７】
たとえば、ドライエッチング装置のチェンバ１２内でＣ４Ｆ８のガスプラズマを発生させる場合、ポンプを用いてドライエッチング装置のチェンバ１２内をほぼ真空状態にした後、所定量のＣ４Ｆ８を導入し高電圧を印加する。これにより、Ｃ４Ｆ８のガスプラズマが発生する。このガスプラズマがＣＶＤに用いられる。この場合、ＣＶＤに用いられたＣ４Ｆ８のうち所定の割合のものはＣＦ４等へと分解されるが、残りはそのままＣ４Ｆ８の形でチェンバ１２から排出される。この排ガスをポンプ１４を用いて吸引し、Ｎ２ボンベ２０から供給されるＮ２ガスで排ガスを希釈した後、ＦＴ−ＩＲ１０に導入して、排ガス中の各成分について赤外吸収を測定する。測定後は、排ガスはＦＴ−ＩＲ１０から排気ライン２６を経て除害装置１６へと導入され、除害装置１６にて排ガス中の有害物質が除去された後、大気へと放出される。
【００４８】
本実施の形態においては、ＦＴ−ＩＲ１０としてＭＩＤＡＣ社製ＩＧＡ２０００を使用した。また、測定においては１ｃｍ長のセルを使用し、温度および圧力の補正を行なった。なお、測定に用いる装置およびセルはこれに限定されるわけではない。
【００４９】
（測定方法）
＜測定手順＞
図１に示すＦＴ−ＩＲ１０に導入された排ガスの赤外吸収を測定する際には、主に以下の（１）〜（５）に示す手順にしたがって行なう。
【００５０】
（１）プロセス化学物質を選択する手順。
【００５１】
（２）前記プロセス化学物質に対応する定量ターゲット化学物質を選択する手順。
【００５２】
（３）前記プロセス化学物質および前記定量ターゲット化学物質の予想濃度範囲を指定する手順。
【００５３】
（４）前記プロセス化学物質および前記定量ターゲット化学物質の予想濃度範囲に対応するライブラリをそれぞれ選択する手順。
【００５４】
（５）前記ライブラリに基づいて、前記ガスの赤外吸収分光測定により得られたデータの解析を行なう手順。
【００５５】
手順（１）〜（５）を実行するために、図２を用いて、排ガス中のプロセス化学物質および定量ターゲット化学物質について、予想濃度範囲、および予想濃度範囲に対応する検量線を作成するためのライブラリを選択する。図２は、選択された排ガス中のプロセス化学物質に基づいて、コンピュータを用いた処理によって定量ターゲット化学物質等を選択するための表計算シートを模式的に示す図である。この表計算シートは、たとえばディスプレイ上に表示される。この場合、ディスプレイは、コンピュータによる処理の内容を表示するために設置されたものである。あるいは、測定機中のアルゴリズム中にあってもよい。
【００５６】
なお、前述したインテルプロトコルでは、ＰＦＣを含む排ガス中の成分を測定する場合、前記プロセス化学物質として、ＣＦ４、ＣＨＦ３、Ｃ２Ｆ４、Ｃ２Ｆ６、Ｃ３Ｆ８、Ｃ４Ｆ８、Ｃ５Ｆ８、ＨＦ、ＳｉＦ４、ＮＦ３、ＳＦ６、およびＮ２Ｏ等が例示されている。また、前記定量ターゲット化学物質として、ＣＦ４、ＣＨＦ３、Ｃ２Ｆ４、Ｃ２Ｆ６、Ｃ３Ｆ８、Ｃ４Ｆ８、Ｃ５Ｆ８、ＣＯＦ２、ＨＦ、ＳｉＦ４、ＯＦ２、ＮＦ３、ＳＯ２、ＳＦ６、ＳＯ２Ｆ２、ＳＯＦ２、ＮＯ、Ｎ２Ｏ、ＮＯ２、ＣＯ、およびＣＯ２等が例示されている。
【００５７】
以下、測定手順について順に説明する。
【００５８】
（１）まず、プロセス化学物質を選択する。本実施の形態においては、ドライエッチング装置でガスプラズマ発生に用いたＣ４Ｆ８がプロセス化学物質に該当する。図２に示す画面には、排ガス中に含まれると想定される物質を列挙させておき、この中からプロセス化学物質を選択する。
【００５９】
（２）次に、プロセス化学物質に対応する定量ターゲット化学物質を選択する。表計算シートでは、プロセス化学物質に対応する定量ターゲット化学物質をあらかじめリンクさせておく。これにより、図２に示す画面においてプロセス化学物質（図２ではＣ４Ｆ８）を選択すると、図３に示すように、定量ターゲット化学物質が自動的に選択され、画面に表示される。
【００６０】
（３）つづいて、プロセス化学物質および定量ターゲット化学物質の予想濃度範囲を各成分毎に指定する。また、プロセス化学物質および定量ターゲット化学物質以外に、排ガス中に含まれていると想定される成分（図３においては、ＮＯ、ＮＯ２等）についても同様に、予想濃度範囲を指定する。
【００６１】
（４）この表計算シートは、画面上に表示された各成分の予想濃度範囲に対応するライブラリとリンクしている。すなわち、各成分の予想濃度範囲とライブラリとがリンクしており、各成分の予想濃度範囲を選択すると、この予想濃度範囲に対応するライブラリが選択され、画面上に表示される。
【００６２】
ところで、排ガスに含まれる各成分は、表１に示すように、赤外吸収スペクトル中に主ピーク領域と副ピーク領域を有する。表１においては、各成分において、主ピーク領域を示す範囲を◎で、副ピーク領域を示す範囲を○でそれぞれ示す。なお、表１において、ＣＦ４、ＣＨＦ３、Ｃ２Ｆ６以外の成分については、主ピーク領域のみ示す。
【００６３】
【表１】
2008197120.tif 000003
【００６４】
一方、前述したライブラリは、ガス中の各成分について、主ピーク領域および副ピーク領域にそれぞれに関する検量線データを含む。この検量線データは濃度と吸光面積との関係を示すデータであり、本発明の赤外線吸収測定の際には、予想濃度範囲に対応してライブラリが選択され、ライブラリに対応する検量線データに基づいてデータ解析が行なわれる。すなわち、ライブラリが選択されると、測定すべきピーク領域が選択され、このピーク領域に対応する検量線データに基づいてデータ解析が行なわれる。このライブラリについては後述する。
【００６５】
図３には、各成分の予想濃度範囲に対応して選択されたライブラリが表示されている。たとえばＣＦ４の予想濃度範囲が〜１０ｐｐｍ−ｍである場合、この予想濃度範囲に対応して選択されたライブラリは「ＣＦ４＿１０Ａ」である。このライブラリは、ＣＦ４について、波数が１２３０−１３０５ｃｍ−１の範囲のピーク領域の検量線データを用いてデータ解析を行なうために設置されたものである。また、ＣＨＦ３の予想濃度範囲が〜１０ｐｐｍ−ｍである場合、この予想濃度範囲に対応して選択されたライブラリは「ＴＦＭ＿１０Ａ」である。このライブラリは、ＣＨＦ３について、波数が１０９０−１２４７ｃｍ−１の範囲のピーク領域の検量線データを用いてデータ解析を行なうために設置されたものである。
【００６６】
図３において、ＣＨＦ３の予想濃度範囲が〜１０ｐｐｍ−ｍと選択されている場合、選択されたライブラリは「ＴＦＭ＿１０Ａ」である。ここで、図４に示すように、このＣＨＦ３の予想濃度範囲を６０〜ｐｐｍ−ｍに変えると、この予想濃度範囲に対応してライブラリも変更され、「ＴＦＭ＿６０Ａ」というライブラリが新たに選択される。
【００６７】
なお、１の予想濃度範囲に対して２以上のライブラリを選択することも可能である。たとえば、図５に示すように、ＣＨＦ３の予想濃度範囲として１０〜６０ｐｐｍ−ｍを選択すると、この予想濃度範囲に対応して、「ＴＦＭ＿１０Ａ」、「１６Ａ」、「６０Ａ」という３つのライブラリが選択される。この「ＴＦＭ＿１０Ａ」、「１６Ａ」、「６０Ａ」というライブラリは、ＣＨＦ３について、それぞれ波数が１０９０−１２４７ｃｍ−１、１３１６−１４３７ｃｍ−１、２９８０−３０８０ｃｍ−１の範囲のピーク領域の検量線データを用いてデータ解析を行なうために設置されたものである。
【００６８】
（５）このようにして選択されたライブラリに基づいて、排ガスについて赤外吸収分光測定を行なう。このライブラリを基づいてデータ解析を行なうことにより、各成分の吸光面積から濃度を算出することができる。
【００６９】
＜ライブラリの最適化＞
前述した手順にしたがって、ＣＨＦ３、ＣＦ４、Ｃ４Ｆ８の混合ガスを、これらのガスの混合比を１２０秒ごとに変えて流し、この混合ガスについて経時的に赤外線吸収測定を行なった。測定にあたっては、表４に示すように、ＣＨＦ３、ＣＦ４、Ｃ４Ｆ８それぞれについて、ライブラリ中の主ピーク領域の検量線データに基づいてデータの解析を行なった。データ解析により得られた各ガスの濃度の経時変化を図６に示す。なお、ＣＨＦ３、ＣＦ４、Ｃ４Ｆ８の混合ガスは、表２に示すように、１２０秒ごとに９段階に濃度を変えて流した。また、測定に際しては、混合ガスはＡｒ中に混合させた後、さらに一定量のＮ２で希釈したものを測定した。このため、図６において、縦軸はＡｒおよびＮ２を含むガス中の各ガスの濃度を示している。また、図６では、ＣＨＦ３、ＣＦ４、Ｃ４Ｆ８をそれぞれ５、１０、２５、５０、または１００［ｃｃ／ｍｉｎ］で流した場合における、ＡｒおよびＮ２を含むガス中における流量から概算される濃度を横線で示している。
【００７０】
【表２】
2008197120.tif 000004
【００７１】
図６を参照すると、ＣＨＦ３およびＣ４Ｆ８については、実際に流したガスの濃度と測定により得られたガスの濃度との間に大きな差はなかった。これに対し、ＣＦ４では、濃度が大きい場合（１００ｃｃ／ｍｉｎ）に、実際に流した濃度と測定により得られた濃度との間にずれが生じた。このずれの原因として、以下に示す（１）および（２）が考えられる。
【００７２】
（１）前述したように、排ガス中の各成分は、表１に示すように、赤外吸収波形中に主ピーク領域と副ピーク領域を有する。たとえば、ＣＦ４においては、表１および図７に示すように、１２３０−１３０５ｃｍ−１に主ピーク領域を、２１６０−２２００ｃｍ−１に副ピーク領域をそれぞれ有する。さらに、図８（ａ），（ｂ）に、ＣＦ４の主ピーク領域（１２３０−１３０５ｃｍ−１）の拡大図を示す。なお、図８（ｂ）は図８（ａ）よりも分解能を高くして測定した結果を示している。図７では、ＣＦ４の主ピーク領域に存在するピークはシングルピークにみえるが、拡大すると図８（ａ），（ｂ）に示すように、ＣＦ４の主ピーク領域には複数のピークが存在する。したがって、この場合、濃度を算出するために吸光度を測定する場合に、これらの複数のピークの存在を無視して検量線を作成した場合、誤差が大きくなることがある。
【００７３】
（２）図８（ａ），（ｂ）は、ＣＦ４が異なる濃度を有する場合における、主ピーク領域（１２３０−１３０５ｃｍ−１）の赤外吸収波形を示しており、ＣＦ４の濃度が、ピークが高い順から１０３．５ｐｐｍ−ｍ，１０．３ｐｐｍ−ｍ，３．６３ｐｐｍ−ｍ，０．４１ｐｐｍ−ｍである場合の赤外吸収波形を示す。図８（ａ），（ｂ）において、波形と横軸（波数）で囲まれた面積（吸光面積）は、ＣＦ４の濃度に比例する。このことから、図８（ａ），（ｂ）を参照して、吸光面積からＣＦ４の濃度を算出することができる。
【００７４】
ＣＦ４の主ピーク領域においては、図８（ｂ）に示すように、ＣＦ４の濃度が０．４１ｐｐｍ−ｍ，３．６３ｐｐｍ−ｍ，１０．３ｐｐｍ−ｍと順に大きくなるにつれて、波形に含まれるピークが高くなる。しかしながら、ＣＦ４の濃度がさらに１０３．５ｐｐｍ−ｍとなった場合、一番高いピークは、濃度に比例して高くならず、ある吸光度のところで飽和してしまう。したがって、主ピーク領域に基づく検量線データを用いる場合、ＣＦ４の濃度が比較的大きいところでは、吸光面積がＣＦ４の濃度に比例しないため、吸光面積に基づいて正確な濃度を算出することができないことがある。
【００７５】
以上の（１）および（２）に示す理由により、たとえばＣＦ４については、各ガスに関するライブラリに基づいてデータの解析を行なう際に、ライブラリ中の主ピーク領域の検量線データをそのまま使用すると、実際の濃度と測定により得られる濃度との間にずれを生じる場合がある。このずれを低減し、正確な濃度を得るために、ライブラリの最適化を行なう必要がある。以下、ライブラリの最適化について説明する。
【００７６】
１．濃度によるライブラリの選択
前述したように、たとえば、ＣＦ４においては、表１および図７に示すように、１２３０−１３０５ｃｍ−１に主ピーク領域を、２１６０−２２００ｃｍ−１に副ピーク領域をそれぞれ有する。ＣＦ４の場合、前述したように、主ピーク領域に基づく検量線データを用いてデータの解析を行なうと、濃度が比較的大きいところでは、吸光面積がＣＦ４の濃度に比例しないため、吸光面積に基づいて正確な濃度を算出することができないことがある。
【００７７】
ＣＦ４において、主ピーク領域および副ピーク領域それぞれにおける濃度と吸光面積との関係（検量線）を図９に示す。図９を参照すると、主ピーク領域に関する検量線では、ＣＦ４の濃度が小さい範囲では、吸光面積はＣＦ４の濃度に比例して大きくなるのに対し、ＣＦ４の濃度が大きい範囲（１００ｐｐｍ−ｍ以上の範囲）では、前述したように、吸光面積がＣＦ４の濃度に比例しなくなる。すなわち、主ピーク領域に関する検量線では、ＣＦ４の濃度が小さい範囲ではリニアリティが優れているのに対し、ＣＦ４の濃度が大きい範囲ではリニアリティが小さい。なお、図９において、縦軸（吸光面積）は、主ピーク領域に関する検量線ではグラフの左端の目盛りを、副ピーク領域に関する検量線では右端の目盛りをそれぞれ用いた値で示される。
【００７８】
以上の点を解決するために、ガス中のＣＦ４の濃度が大きいと想定される場合、換言すると、ガス中のＣＦ４の濃度が主ピーク領域に関する検量線のリニアリティが小さい範囲に含まれると想定される場合には、副ピーク領域に関する検量線を用いて濃度を決定する。すなわち、副ピーク領域に関する検量線に関するデータ（検量線データ）に基づいてデータの解析を行なう。これにより、ＣＦ４の濃度を正確に算出することができる。
【００７９】
一方、副ピーク領域に関する検量線では、ＣＦ４の濃度が大きい範囲では、吸光面積はＣＦ４の濃度に比例して大きくなるのに対し、ＣＦ４の濃度が小さい範囲（１ｐｐｍ−ｍ未満の範囲）では、吸光面積がＣＦ４の濃度に比例しなくなる。すなわち、副ピーク領域に関する検量線では、ＣＦ４の濃度が大きい範囲ではリニアリティが優れているのに対し、ＣＦ４の濃度が小さい範囲ではリニアリティが小さい。この原因の一つとしては、図７に示すように、ＣＦ４においては、副ピーク領域に存在するピークの高さは、主ピーク領域に存在するピークの高さと比較して非常に小さいため、ＣＦ４の濃度が小さい範囲では、ノイズの影響でＣＦ４のピークを正確に読み取ることが難しく、誤差が大きくなることが考えられる。したがって、ＣＦ４の濃度が小さい範囲では、副ピーク領域に基づく検量線は正確なものが得られにくいと考えられる。
【００８０】
以上の点を解決するために、ガス中のＣＦ４の濃度が小さいと想定される場合、換言すると、ガス中のＣＦ４の濃度が副ピーク領域に関する検量線のリニアリティが小さい範囲に含まれると想定される場合には、主ピーク領域に関する検量線を用いて濃度を決定する。すなわち、主ピーク領域に関する検量線に関するデータ（検量線データ）に基づいてデータの解析を行なう。これにより、ＣＦ４の濃度を正確に算出することができる。
【００８１】
ＣＦ４と同様に、ＣＨＦ３およびＣ２Ｆ６について、主ピーク領域および副ピーク領域にそれぞれ関する検量線を図１０および図１１に示す。ＣＨＦ３は、主ピーク領域、副ピーク領域のどちらに関する検量線もリニアリティに優れている。一方、Ｃ２Ｆ６は、ＣＦ４と同様に、濃度が小さい範囲では主ピーク領域に関する検量線のリニアリティが優れており、一方、濃度が大きい範囲では、主ピーク領域に関する検量線よりも、副ピーク領域に関する検量線のリニアリティの方が優れている。したがって、Ｃ２Ｆ６の濃度を正確に算出するために、ガス中の濃度が小さい範囲では、主ピーク領域に関する検量線を用いて濃度を決定し、ガス中の濃度が大きい範囲では、副ピーク領域に関する検量線を用いて濃度を決定することが望ましい。なお、図１０において、縦軸（吸光面積）は、主ピーク領域に関する検量線ではグラフの左端の目盛りを、副ピーク領域に関する２本の検量線では右端の目盛りをそれぞれ用いた値で示される。また、図１１において、縦軸（吸光面積）は、主ピーク領域および副ピーク領域（１０８２−１１６２ｃｍ−１）にそれぞれ関する検量線ではグラフの左端の目盛りを、副ピーク領域（２００５−２０９５ｃｍ−１）に関する検量線では右端の目盛りをそれぞれ用いた値で示される。
【００８２】
２．検量ポイントの増設
前述したように、たとえばＣＦ４の濃度を測定する際に主ピーク領域に基づく検量線を用いる場合、前述したように、濃度が１００ｐｐｍ−ｍ近傍になると、主ピーク領域に含まれるピークのうち一番高いピークは、ある吸光度付近で飽和してしまい、吸光面積がＣＦ４の濃度に比例せず、濃度と吸光度との関係を示す検量線のリニアリティが低くなる。このため、吸光度に基づいて正確な濃度を算出することができないことがある。
【００８３】
この点を解決するために、主ピーク領域に基づく検量線でリニアリティが低い部分について、この部分近傍に検量ポイントを増やす補正を検量線について行なう。たとえばＣＦ４の場合、図９に示すように、１０−１００ｐｐｍ−ｍの濃度範囲に、少なくとも３つの検量ポイントを増設する。検量ポイントを設置する位置、濃度範囲、数等は、対象となるガスによって適宜調整する。このように補正を行なうことにより、主ピーク領域に基づく精度を高めることができる。以上の測定方法により補正を行なった検量線に関するデータ（検量線データ）に基づいてデータの解析を行なうことにより、ＣＦ４の濃度を正確に算出することができる。
【００８４】
一方、前記検量線中でリニアリティが高い部分の検量線については、リニアリティが高い部分の１個又は２個の検量ポイントを用いて前記検量線を作成することができる。たとえば、図９において、ＣＦ４の主ピーク領域に関する検量線を作成する際に、検量線中でリニアリティが高い部分（濃度が０．１−１０ｐｐｍ−ｍの範囲）については、１又は２個の検量ポイントを用いて検量線を作成することができる。以上のように、リニアリティが高い部分では、少ない検量ポイントでも精度の高い検量線を作成することができる。
【００８５】
以上に示した方法で最適化した検量線を用いて、図６に示す測定結果に対して、データの解析を行なった。このデータ解析により得られた各ガスの濃度の経時変化を図１２に示す。最適化した検量線においては、表３に示すように、ＣＨＦ３については、主ピーク領域とともに副ピーク領域に関する検量線のデータを用いた。さらに、ＣＦ４については、補正後の検量線のデータを用いて解析を行なった。
【００８６】
【表３】
2008197120.tif 000005
【００８７】
【表４】
2008197120.tif 000006
【００８８】
ここで、最適化前の検量線を用いたデータ解析により得られた図６のグラフと、最適化された検量線を用いたデータ解析により得られた図１２のグラフとを比較すると、ＣＨＦ３およびＣＦ４の両方について、特に濃度が高い領域（１００ｃｃ／ｍｉｎ）において、実際に流したガスの濃度に近い値が得られた。
【００８９】
以上に示したように、排ガス中の各ガスに関する検量線を最適化することにより、各ガスの濃度をより正確に測定することができる。
【００９０】
なお、前述したＣＦ４の場合においては、排ガス中の各ＣＦ４の予想濃度範囲が、主ピーク領域に関する検量線データのリニアリティが小さい領域に含まれる場合に、副ピーク領域に関する検量線データ等を用いて前記濃度を決定する方法について示したが、用いる化学物質によっては、化学物質の予想濃度範囲が、副ピーク領域に関する検量線データのリニアリティが小さい領域に含まれる場合、主ピーク領域に関する検量線データを用いて前記濃度を決定することもできる。
【００９１】
＜検量方法＞
次に、排ガスについてＦＴ−ＩＲで測定して得られた吸収波形から、排ガスに含まれる各成分を検量する方法について説明する。
【００９２】
実際の排ガスには複数の成分が含まれているため、測定により得られる吸収波形は、複数の成分についての吸収波形を合成したものである。ＰＦＣを含む排ガスに含まれると想定されるガスの赤外吸収波形を図１３に示す。実際の排ガスの測定により得られる吸収波形は、図１３に示す波形を合成したものである。したがって、排ガス中の各成分の濃度を測定する際、異なる成分同士でピークが一致する場合、濃度の計算が難しく、正確な濃度を測定するのが難しい場合があった。
【００９３】
本実施の形態においては、ガスに対する赤外吸収分光測定により得られた吸収波形に基づいてデータの解析を行なう際に、ガス中の成分のうち、他の成分のピークと重複しないピークを有する成分から優先的に定量し、該成分のピークを前記吸収波形から順次差し引くことにより、各成分の濃度を決定していく。この検量方法について、図１３および図１４を参照して説明する。図１４は、上述した検量方法の手順を説明するための図である。なお、図１４中、太い実線で示された矢印が横に延びる範囲は、各ガスの定量が可能である範囲を示し、点線で示された矢印は、手順を説明するための矢印であり、細い実線（縦線）は、手順を区分するための線である。
【００９４】
（１）まず、排ガス中に含まれていると想定されるすべてのガスの赤外吸収波形（ライブラリ）を用意する。この方法では、想定したガス以外のガスが排ガス中に含まれていた場合、検量が終了した時点で吸収波形にそのガスのピークが残ることに留意する。
【００９５】
各ガスの赤外吸収波形を比較し、想定されるガスのうち、ピークが他のいずれのガスのピークとも重ならないガスを決定し、吸収波形から差し引く。図１３においては、ＨＦ、ＣＯ２、ＮＯ２が、ピークが他のいずれのガスのピークとも重ならないガスに該当する。これらのガスについてそれぞれ吸収波形から差し引くことにより各ガスを定量する。なお、これらのガスは、吸収波形から差し引いても他のガスのピークの形状に影響を及ぼすことはないため、この時点で吸収波形から差し引くかわりに、後の手順にて差し引いてもよい。
【００９６】
（２）次に、ガス中の成分のうち、他の成分のピークと重複しないピークを有する成分を優先的に定量し、この成分のピークを吸収波形から差し引く。図１３においては、ＮＯとＳＯ２Ｆ２がこれに該当するため、ＮＯとＳＯ２Ｆ２のピークをそれぞれ吸収波形から差し引き、それぞれ定量を行なう。ＮＯとＳＯ２Ｆ２のピークを吸収波形から差し引くことにより得られた新たな吸収波形には、他の成分のピークと重複しないピークとして、ＣＯＦ２のピークが含まれる。したがって、次に、ＣＯＦ２のピークを吸収波形から差し引き、定量を行なう。これにより新たな吸収波形が得られる。以下、図１４に示す順にしたがって、吸収波形中にピークがなくなるまで順次この手順を繰り返す。すなわち、前述した手順により得られた吸収波形からさらにＳＯＦ２のピークを差し引き、定量を行なう。つづいて、前述した手順により得られた吸収波形からＯＦ２のピークを差し引き、定量を行なう。つづいて、前述した手順により得られた吸収波形からＳＦ６、ＮＦ３、およびＣ４Ｆ８のピークをそれぞれ差し引き、それぞれ定量を行なう。なお、ＳＦ６については、この手順で定量するかわりに、この手順以降のどの手順で定量してもよい。また、Ｃ４Ｆ８については、この手順で定量するかわりに、この手順以降であって、Ｎ２Ｏ、Ｃ２Ｆ６、およびＣ２Ｆ４を定量する前の手順で定量することができる。つづいて、前述した手順により得られた吸収波形からＣ３Ｆ８およびＳｉＦ４のピークをそれぞれ差し引き、それぞれ定量を行なう。なお、ＳｉＦ４については、この手順で定量するかわりに、この手順以降のどの手順で定量してもよい。つづいて、前述した手順により得られた吸収波形からＮ２Ｏ、Ｃ２Ｆ６、およびＣ２Ｆ４のピークをそれぞれ差し引き、それぞれ定量を行なう。なお、Ｃ２Ｆ６およびＣ２Ｆ４については、この手順で定量するかわりに、この手順以降のどの手順で定量してもよい。つづいて、前述した手順により得られた吸収波形からＣＦ４、ＳＯ２、およびＣＯのピークをそれぞれ差し引き、それぞれ定量を行なう。なお、ＣＦ４およびＣＯについては、この手順で定量するかわりに、この手順以降のどの手順で定量してもよい。つづいて、前述した手順より得られた前記ガスの吸収波形からＣＨＦ３を定量する。
【００９７】
以上に示したようにデータを解析し、各成分について順次定量を行なう。なお、図１４に示す手順は一例であり、ピークを差し引く手順は排ガス中に含まれる成分等によって適宜決定される。
【００９８】
この方法によれば、各成分についてピークが一致または重複する場合であっても、各成分の濃度を精度良く測定することができる。
【００９９】
＜校正ガス＞
また、ガスに対する赤外吸収分光測定を行なう際には、ガス中の１成分以上を校正ガスとすることができる。この方法によれば、精度の高い校正を行なうことができる。
【０１００】
ここで、校正に用いる校正ガスの濃度を、濃度の対数値でみて等間隔となるように複数の値設定することが望ましい。校正に用いる複数の校正ガスのうち最も高い濃度を有する校正ガスを基準（＝１とする）とした場合、濃度が高いものから順に、１、１／ｘ、１／ｘ２、１／ｘ３、１／ｘ４，…１／ｘn（ｘは任意の数）の濃度を有する校正ガスを使用する。たとえば、校正ガスに用いる複数のガスのうち、一番大きい濃度を有するものの濃度をａとすると、他の校正ガスの濃度は、濃度が高いものから順に、ａ／ｘ，ａ／ｘ２、ａ／ｘ３、ａ／ｘ４，…ａ／ｘnの濃度を有することが望ましい。さらに、校正ガスに用いる複数のガスのうち、一番大きい濃度を有するものの濃度をａとしたときに、一番濃度が小さい校正ガスの濃度が約ａ／２０となるような校正ガスを用いるのがより望ましく、この場合、ｎはたとえば４〜５であるのが望ましい。
【０１０１】
この方法によれば、検量ポイントが対数で見て等間隔に配置できるので、少ない検量ポイントで精度の高い検量線を作成することができる。
【０１０２】
特に、校正ガスとしてＣＦ４またはＳＦ６を選択する場合、校正ガスについて、主ピーク領域に関して濃度に対する吸光面積を示す検量線を作成し、主ピーク領域に関する検量線のうちリニアリティに優れた部分にて校正を行なうことが望ましい。
【０１０３】
以上に示したように、本発明の赤外吸収分光器を用いた温室効果ガス測定方法によれば、より簡便な方法で排ガス中の成分の濃度を正確にかつ再現性良く測定することができる。
【図面の簡単な説明】
【０１０４】
【図１】本発明の一実施の形態で用いるガス測定システムを模式的に示す図である。
【図２】選択されたプロセス化学物質に基づいて、コンピュータを用いた処理によって定量ターゲット化学物質等を選択するための表計算シートを模式的に示す図である。
【図３】ディスプレイに表示される表計算シート上での処理の内容を模式的に示す図である。
【図４】ディスプレイに表示される表計算シート上での処理の内容を模式的に示す図である。
【図５】ディスプレイに表示される表計算シート上での処理の内容を模式的に示す図である。
【図６】赤外吸収分光測定結果について、最適化する前のライブラリを用いたデータ解析により得られた各ガスの濃度の経時変化を示す図である。
【図７】ＣＦ４の主ピーク領域と副ピーク領域とを示す図である。
【図８】ＣＦ４の主ピーク領域の拡大図である。
【図９】ＣＦ４において、主ピーク領域および副ピーク領域それぞれにおける濃度と吸光面積との関係（検量線）を示す図である。
【図１０】ＣＨＦ３において、主ピーク領域および副ピーク領域それぞれにおける濃度と吸光面積との関係（検量線）を示す図である。
【図１１】Ｃ２Ｆ６において、主ピーク領域および副ピーク領域それぞれにおける濃度と吸光面積との関係（検量線）を示す図である。
【図１２】赤外吸収分光測定結果について、最適化されたライブラリを用いたデータ解析により得られた各ガスの濃度の経時変化を示す図である。
【図１３】ＣＦＣを含む排ガス中の各成分の赤外吸収波形を示す図である。
【図１４】本発明の検量方法の一例を説明するための図である。
【符号の説明】
【０１０５】
１０  ＦＴ−ＩＲ（フーリエ変換赤外分光器）、  １２  ドライエッチングチェンバ、
１４  ポンプ、  １６  除害装置、  １８  エッチングガス、  ２０  Ｎ２ボンベ
２２  圧力センサ、  ２３  温度センサ、  ２４  排気ポンプ、  ２６  排気ライン
２８  分光器導入ライン
【図１】
2008197120.tif 000007
【図２】
2008197120.tif 000008
【図３】
2008197120.tif 000009
【図４】
2008197120.tif 000010
【図５】
2008197120.tif 000011
【図６】
2008197120.tif 000012
【図７】
2008197120.tif 000013
【図８】
2008197120.tif 000014
【図９】
2008197120.tif 000015
【図１０】
2008197120.tif 000016
【図１１】
2008197120.tif 000017
【図１２】
2008197120.tif 000018
【図１３】
2008197120.tif 000019
【図１４】
2008197120.tif 000020
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
チャンバと、
分光器導入ラインと、
フーリエ変換赤外分光器と、を含み、
前記フーリエ変換赤外分光器は、コンピュータに接続され、
前記コンピュータは、
第１ライブラリ及び第２ライブラリを有するライブラリ部と、
前記分光器導入ラインを介して前記フーリエ変換赤外分光器に導入されたガスを、前記第１ライブラリ及び前記第２ライブラリを用いて解析する解析部と、を有することを特徴とする赤外分光測定装置。
【請求項２】
請求項１に記載の赤外分光測定装置において、
前記第１ライブラリは、
プロセス化学物質の予想濃度範囲に対応する選択ピーク領域の検量線データであることを特徴とする赤外分光測定装置。
【請求項３】
請求項２に記載の赤外分光測定装置において、
前記第１ライブラリは、主ピーク領域及び副ピーク領域を備えることを特徴とする赤外分光測定装置。
【請求項４】
請求項１ないし３のいずれかに記載の赤外分光測定装置において、
前記第２ライブラリは、
定量ターゲット化学物質の予想濃度範囲に対応する選択ピーク領域の検量線データであることを特徴とする赤外分光測定装置。
【請求項５】
請求項４に記載の赤外分光測定装置において、
前記第２ライブラリは、主ピーク領域及び副ピーク領域を備えることを特徴とする赤外分光測定装置。
【請求項６】
請求項１ないし５のいずれかに記載の赤外分光測定装置において、
排気ラインと、
除害装置と、を更に含むことを特徴とする赤外分光測定装置。
【請求項７】
請求項２ないし６のいずれかに記載の赤外分光測定装置において、
前記プロセス化学物質は、ＣＦ４、ＣＨＦ３、Ｃ２Ｆ４、Ｃ２Ｆ６、Ｃ３Ｆ８、Ｃ４Ｆ８、Ｃ５Ｆ８、ＣＯＦ２、ＨＦ、ＳｉＦ４、ＯＦ２、ＮＦ３、ＳＯ２、ＳＦ６、ＳＯ２Ｆ２、ＳＯＦ２、ＮＯ、Ｎ２Ｏ、ＮＯ２、ＣＯ、およびＣＯ２のうち少なくとも１つを含む、赤外吸収分光測定装置。